【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
データを保持するデータ保持部と、
受信端末が保持するデータの中で削除すべきデータを示す削除命令コマンド、
或いは
受信端末が蓄積すべきデータを示す蓄積命令コマンド、のいずれか１つ以上の命令を受信し、
前記削除命令コマンドに従ってデータ保持部に保持されているデータを削除し、
蓄積命令コマンドに従ってデータを受信してデータ保持部にデータを蓄積するサービス提供部を備え、
伝送路を利用して配信装置と受信端末間でデータを送受信するコンテンツ配信サービスを受信する受信端末。
【請求項２】
前記受信端末は、
受信端末を特定するための装置識別データを管理する装置識別データ管理部を備え、
前記端末に対する削除命令或いは蓄積命令を受信するために
配信装置に対して装置識別データ管理部の装置識別データを用いて自動配信要求コマンドを生成して送信することを特徴とするサービス提供部を備える請求項１記載の受信端末。
【請求項３】
前記受信端末は、
受信端末とデータ配信装置 との通信状態を検出する通信状態検出部と、
データ特定情報で特定されるデータを前記データ保持部が保持していない場合には、前記データ特定情報を記録する受信予約部と
受信予約部が記録するデータ特定情報を保持するデータ特定情報管理部と
を備え
前記サービス提供部では受信端末に蓄積されていないデータ情報とデータ特定情報を含んでいる案内カタログを受信し、
データ配信装置と通信可能なとき、データ特定情報に基づいてデータ配信装置に指定配信要求コマンドによってデータを要求し、データ配信装置から要求したデータを受信することを特徴とする請求項１記載の受信端末。
【請求項４】
前記受信端末は、
受信端末とデータ配信装置 との通信状態を検出する通信状態検出部と、
受信予約部が記録するデータ特定情報を保持するデータ特定情報管理部と
利用したデータ情報を保持する利用情報保持部と
データの利用情報に応じた課金する課金処理部を備え、
受信端末が配信装置と通信可能な状態の時に受信端末の課金処理データを配信装置に送信することによって、課金処理を実施することを特徴とする請求項１記載の受信端末。
【請求項５】
前記受信端末は、
受信端末とデータ配信装置 との通信状態を検出する通信状態検出部と、
データ特定情報で特定されるデータを前記データ保持部が保持していない場合には、前記データ特定情報を記録する受信予約部と
受信予約部が記録するデータ特定情報を保持するデータ特定情報管理部と
利用したデータ情報を保持する利用情報保持部と
一定時間以上経過した利用情報が利用情報保持部にあるか否かに応じて
データの利用可否を判断するデータ利用可否判断部
を備える請求項１記載の受信端末。
【請求項６】
前記受信端末は、
受信端末に装着されている記録媒体を特定するための記録媒体識別データを管理する媒体識別データ管理部を備え、
前記端末に対する削除命令或いは蓄積命令を受信するために
配信装置に対して媒体識別データ管理部の媒体装置識別データを用いて自動配信要求コマンドを生成して送信することを特徴とするサービス提供部を備える請求項１記載の受信端末。
【請求項７】
前記受信端末は、
通信状態検出部で検出される、受信端末とデータ配信装置の通信状態と、受信端末と情報端末間の通信状態を比較して、通信速度が高速な手段で通信を実行するための通信制御部
を備えることを特徴とする請求項１記載の受信端末。
【請求項８】
データを受信する受信端末の蓄積装置識別データと受信機端末の残記憶容量によってデータ蓄積状況を管理する蓄積状況管理部と、
前記蓄積状況管理データを使って、前記受信端末に送信するデータを決定し、蓄積制御命令コマンドを前記受信端末に送信するとともに、
前記受信端末で削除するデータを決定し、削除命令コマンドを前記受信端末に送信する
配信データ決定処理部を有する配信装置。
【請求項９】
データを受信する受信端末の媒体識別データと蓄積媒体の残記憶容量によってデータ蓄積状況を管理する蓄積状況管理部と、
前記蓄積状況管理データを使って、前記蓄積媒体に送信するデータを決定し、蓄積制御命令コマンドを前記受信端末に送信するとともに、
前記受信端末で削除するデータを決定し、削除命令コマンドを前記受信端末に送信する
配信データ決定処理部を有する配信装置。
【請求項１０】
前記配信装置は、
受信端末から送信された指定配信要求コマンドを受信し、
蓄積制御命令コマンドには前記指定配信要求コマンドに含まれるデータ特定情報で示されたデータを蓄積させる命令を含むことを特徴とする請求項８，或いは９記載の配信装置。
【請求項１１】
データを保持するデータ保持部と、
受信端末が保持するデータの中で削除すべきデータを示す削除命令コマンド、
或いは
受信端末が蓄積すべきデータを示す蓄積命令コマンド、のいずれか１つ以上の命令を受信し、
前記削除命令コマンドに従ってデータ保持部に保持されているデータを削除し、
端末に対する削除命令或いは蓄積命令を受信するために
配信装置に対して装置識別データ管理部の装置識別データを用いて自動配信要求コマンドを生成することで、配信された蓄積命令コマンドに従ってデータを受信してデータ保持部にデータを蓄積するサービス提供部と
受信端末を特定するための装置識別データを管理する装置識別データ管理部を備える受信端末と、
データを受信する受信端末の蓄積装置識別データと受信機端末の残記憶容量によってデータ蓄積状況を管理する蓄積状況管理部と、
前記蓄積状況管理データを使って、前記受信端末に送信するデータを決定し、蓄積制御命令コマンドを前記受信端末に送信するとともに、
前記受信端末で削除するデータを決定し、削除命令コマンドを前記受信端末に送信する
配信データ決定処理部を有する配信装置を備え、
伝送路を利用して配信装置と受信端末間でデータを送受信するデータ配信システム。
【請求項１２】
前記データ配信システムの受信端末は、
受信端末とデータ配信装置との通信状態を検出する通信状態検出部と、
データ特定情報で特定されるデータを前記データ保持部が保持していない場合には、前記データ特定情報を記録する受信予約部と
受信予約部が記録するデータ特定情報を保持するデータ特定情報管理部と
を備え
前記サービス提供部では受信端末に蓄積されていないデータ情報とデータ特定情報を含んでいる案内カタログを受信し、
データ配信装置と通信可能なとき、データ特定情報に基づいてデータ配信装置に指定配信要求コマンドによってデータ配信装置にデータを要求し、データ配信装置から要求したデータを受信することを特徴とする請求項１１記載のデータ配信システム。
【請求項１３】
前記データ配信システムの受信端末は、
受信端末とデータ配信装置 との通信状態を検出する通信状態検出部と、
受信予約部が記録するデータ特定情報を保持するデータ特定情報管理部と
利用したデータ情報を保持する利用情報保持部と
データの利用情報に応じた課金する課金処理部を備え、
受信端末が配信装置と通信可能な状態の時に受信端末の課金処理データを配信装置に送信することによって、課金を実施することを特徴とする請求項１１記載のデータ配信システム。
【請求項１４】
前記データ配信システムの受信端末は、
受信端末とデータ配信装置 との通信状態を検出する通信状態検出部と、
データ特定情報で特定されるデータを前記データ保持部が保持していない場合には、前記データ特定情報を記録する受信予約部と
受信予約部が記録するデータ特定情報を保持するデータ特定情報管理部と
利用したデータ情報を保持する利用情報保持部と
一定時間以上経過した利用情報が利用情報保持部にあるか否かに応じて
データの利用可否を判断するデータ利用可否判断部
を備える請求項１１記載のデータ配信システム。
【請求項１５】
データを受信する受信端末の蓄積装置識別データと受信機端末の残記憶容量によってデータ蓄積状況を管理するステップと、
前記蓄積状況管理データを使って、前記受信端末に送信するデータを決定し、蓄積制御命令コマンドを前記受信端末に送信するステップと、
前記受信端末で削除するデータを決定し、削除命令コマンドを前記受信端末に送信する
ステップと
受信端末が保持するデータの中で削除すべきデータを示す削除命令コマンドと受信端末が蓄積すべきデータを示す蓄積命令コマンド、のいずれか１つ以上の命令を受信するステップと
前記削除命令コマンドに従ってデータ保持部に保持されているデータを削除するステップと、
蓄積命令コマンドに従ってデータを受信してデータ保持部にデータを蓄積するステップを有するデータ配信方法。
【請求項１６】
前記データ配信方法は、
受信端末に蓄積されていないデータ情報とデータ特定情報を含んでいる案内カタログを受信するステップと、
受信端末とデータ配信装置との通信状態を検出するステップと、
データ特定情報で特定されるデータを前記データ保持部が保持していない場合には、前記データ特定情報を記録するステップと
受信予約部が記録するデータ特定情報を保持するステップと、
データ配信装置と通信可能なとき、データ特定情報に基づいてデータ配信装置に指定配信要求コマンドによってデータを要求し、データ配信装置からデータを受信するステップ
を有する請求項１５記載のデータ配信方法。
【請求項１７】
前記データ配信方法は、
受信端末とデータ配信装置との通信状態を検出するステップと、
受信予約部が記録するデータ特定情報を保持するステップと
利用したデータ情報を保持するステップと
データの利用情報に応じた課金するステップと、
受信端末が配信装置と通信可能な状態の時に受信端末の課金処理データを配信装置に送信することによって、課金を実施するステップを有する請求項１５記載のデータ配信方法。
【請求項１８】
前記データ配信方法は、
受信端末とデータ配信装置 との通信状態を検出するステップと、
データ特定情報で特定されるデータを前記データ保持部が保持していない場合には、前記データ特定情報を記録するステップと
受信予約部が記録するデータ特定情報を保持するデータ特定情報管理部と
利用したデータ情報を保持するステップと
一定時間以上経過した利用情報が利用情報保持部にあるか否かに応じて
データの利用可否を判断するステップを有する請求項１５記載のデータ配信方法。